(57)【要約】【課題】振動発生手段の振動を操作手段に効率よく伝達できるようにする。【解決手段】遊技者が操作可能な操作手段２１２と、この操作手段２１２を振動させるための振動発生手段２１４とを備え、第１部材２５３と第２部材２５４とを含む複数の金属部材を固定的に連結した振動伝達手段２１５を備える。そして、操作手段２１２は第１部材２５３に、振動発生手段２１４は第２部材２５４に夫々装着する。また振動伝達手段２１５は操作手段２１２の操作方向に移動可能であり、操作手段２１２と振動発生手段２１４は振動伝達手段２１５を介して一体的に移動可能である。【選択図】図２８
2019051237.tif 000002
【特許請求の範囲】
【請求項１】
遊技者が操作可能な操作手段と、
前記操作手段を振動させるための振動発生手段と
を備えた遊技機において、
第１部材と第２部材とを含む複数の金属部材を固定的に連結した振動伝達手段を備え、
前記操作手段を前記第１部材に、前記振動発生手段を前記第２部材に夫々装着した
ことを特徴とする遊技機。
【請求項２】
前記操作手段の操作方向に移動可能に前記振動伝達手段を備え、
前記振動伝達手段を介して前記操作手段と前記振動発生手段とが一体的に移動可能である
ことを特徴とする請求項１に記載の遊技機。
【請求項３】
前記振動伝達手段を介して前記操作手段を第１位置と第２位置との間で操作可能に案内する案内手段と、
前記操作手段を前記第１位置に付勢する付勢手段とを備えた
ことを特徴とする請求項１又は２に記載の遊技機。
【請求項４】
前記操作手段の操作範囲よりも小さい往復動作範囲内で前記操作手段を操作方向に往復移動させる往復駆動手段を備えた
ことを特徴とする請求項１に記載の遊技機。
【請求項５】
前記操作手段を前記往復動作範囲を越えて操作したときに該操作手段に連動して操作位置へと移動する被検出部材と、
前記操作手段の前記操作位置への操作を前記被検出部材を介して検出する検出手段とを備えた
ことを特徴とする請求項４に記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、遊技者の遊技への参加意識を高めて興趣を増大させるべく、押しボタン、その他の演出用の操作手段を設け、操作有効期間中に遊技者がその操作手段を操作した場合に、所定の操作時演出を実行するように構成したものが多い。この種の遊技機では、操作手段を振動させるための振動発生手段を搭載することにより、遊技者の触覚を刺激する新たな演出を可能にしたものも知られている（特許文献１）。
【先行技術文献】
【特許文献】
【０００３】
【特許文献１】特開２０１６−０３２６５３号公報
【発明の概要】
【発明が解決しようとする課題】
【０００４】
この従来の遊技機では、操作手段を操作方向に移動可能な状態で支持するベース体に振動発生手段を配置し、ベース体と操作手段との接触箇所等を介して操作手段に振動を伝達するため、振動の減衰が大きく、操作手段を効率よく振動させることができないという問題があった。
本発明は、このような従来の問題点に鑑み、振動発生手段の振動を操作手段に効率よく伝達することができる遊技機を提供することを目的とする。
【課題を解決するための手段】
【０００５】
本発明は、遊技者が操作可能な操作手段と、前記操作手段を振動させるための振動発生手段とを備えた遊技機において、第１部材と第２部材とを含む複数の金属部材を固定的に連結した振動伝達手段を備え、前記操作手段を前記第１部材に、前記振動発生手段を前記第２部材に夫々装着したものである。
前記操作手段の操作方向に移動可能に前記振動伝達手段を備え、前記振動伝達手段を介して前記操作手段と前記振動発生手段とが一体的に移動可能であることもある。前記振動伝達手段を介して前記操作手段を第１位置と第２位置との間で操作可能に案内する案内手段と、前記操作手段を前記第１位置に付勢する付勢手段とを備えたものでもよい。
前記操作手段の操作範囲よりも小さい往復動作範囲内で前記操作手段を操作方向に往復移動させる往復駆動手段を備えたものでもよい。前記操作手段を前記往復動作範囲を越えて操作したときに該操作手段に連動して操作位置へと移動する被検出部材と、前記操作手段の前記操作位置への操作を前記被検出部材を介して検出する検出手段とを備えたものでもよい。
【発明の効果】
【０００６】
本発明によれば、振動発生手段の振動を振動伝達手段を介して操作手段に効率よく伝達することができる利点がある。
【図面の簡単な説明】
【０００７】
【図１】本発明の第１の実施形態に係るパチンコ機の正面図である。
【図２】同パチンコ機の側面図である。
【図３】同パチンコ機の分解斜視図である。
【図４】同パチンコ機の正面図である。
【図５】同前扉の背面側の斜視図である。
【図６】同前扉の背面図である。
【図７】同前扉の前面側の斜視図である。
【図８】同側部ユニットの上突出部の平面断面図である。
【図９】同側部ユニットの一部破断正面図である。
【図１０】同側部ユニットの正面断面図である。
【図１１】同側部ユニットの平面断面図である。
【図１２】同第２側部ユニットの背面図である。
【図１３】同第２側部ユニットの位置決め手段の断面図である。
【図１４】同第２側部ユニットの係止手段の断面図である。
【図１５】同第２側部ユニットの係止手段の断面図である。
【図１６】同第２側部ユニットの係止手段の断面図である。
【図１７】同第２側部ユニットの固定手段の断面図である。
【図１８】同パチンコ機の正面図である。
【図１９】同第３側部ユニットの背面側の斜視図である。
【図２０】同第３側部ユニットの正面図である。
【図２１】同第３側部ユニットの背面図である。
【図２２】同第３側部ユニットの側面断面図である。
【図２３】同第３側部ユニットの側面図である。
【図２４】同第３側部ユニットの一部破断平面図である。
【図２５】同係合手段の側面断面図である。
【図２６】同係合手段の背面断面図である。
【図２７】同ロック手段の説明図である。
【図２８】同内部機構の側面図である。
【図２９】同内部機構の正面断面図である。
【図３０】同内部機構の正面断面図である。
【図３１】同内部機構の平面断面図である。
【図３２】同内部機構の平面断面図である。
【図３３】同内部機構の平面断面図である。
【図３４】同往復動作時の説明図である。
【図３５】同操作時の説明図である。
【図３６】同検出時の説明図である。
【図３７】同上突出部の側面断面図である。
【図３８】本発明の第２の実施形態に係る第３側部ユニットの側面図である。
【図３９】同内部機構の説明図である。
【図４０】本発明の第３の実施形態に係る内部機構の側面断面図である。
【図４１】同第３側部ユニットの一部破断平面図である。
【図４２】同偏心カムの説明図である。
【発明を実施するための最良の形態】
【０００８】
以下、発明の実施形態を図面に基づいて詳述する。図１〜図３７は本発明をパチンコ機に採用した第１の実施形態を例示している。このパチンコ機１は、図１〜図６に示すように、外枠２と、この外枠２の前側に配置された前枠３とを備え、その前枠３の前側に前扉４が開閉自在に配置されている。なお、外枠２と前枠３とにより遊技機本体が構成されている。
【０００９】
前枠３は、第１ヒンジ５を介して外枠２に開閉自在及び着脱自在に枢着され、また前扉４は、第２ヒンジ６を介して前枠３に開閉自在及び着脱自在に枢着されており、これら前枠３及び前扉４はヒンジ５，６と反対側の施錠手段７によって外枠２、前枠３に対して閉状態で施錠可能となっている。
【００１０】
外枠２は、左右一対の縦枠材８，９と、この縦枠材８，９の上端間を左右に連結する上横枠材１０と、縦枠材８，９の下端間を左右に連結する下横枠材１１と、下横枠材１１の前側に前向きに配置され且つ左右の縦枠材８，９を連結する飾り部材１２とにより矩形状に形成されている。
【００１１】
前枠３には上部側に遊技盤装着部１３が、下側に下部装着部１５が夫々設けられている。そして、遊技盤装着部１３には遊技盤１４が着脱自在に装着され、また下部装着部１５には発射手段１６、下スピーカ１７等が装着されている。
【００１２】
遊技盤１４には、図１に示すように、発射手段１６（図３参照）によって発射された遊技球を遊技領域１８の上部側へと案内するガイドレール１９が環状に装着されている。また遊技領域１８の中央部には、液晶式等の画像表示手段２０と、画像表示手段２０の前側に対応するセンターケース２３とが配置されている。センターケース２３は遊技盤１４に前側から装着され、また画像表示手段２０は遊技盤１４に裏側から装着されている。遊技領域１８にはセンターケース２３の周辺に普通図柄始動手段２４、特別図柄始動手段２５、可変入賞手段２６、普通入賞手段２７等の各種遊技部品が配置されている。
【００１３】
センターケース２３には、液晶式等の画像表示手段２０の表示画面に対応する表示窓２８が設けられる他、表示窓２８の外周側の前面に普通図柄表示手段２９、特別図柄表示手段３０、普通保留個数表示手段３１等が設けられている。画像表示手段２０は、演出図柄表示手段３３、特別保留個数表示手段３４、操作誘導表示手段３５等を構成している。
【００１４】
普通図柄表示手段２９は普通図柄を変動表示するためのもので、例えば「○」「×」の２種類の普通図柄に対応する２個の発光体（例えばＬＥＤ）により構成されており、普通図柄始動手段２４が遊技球を検出することを条件にそれら２つの発光体が所定時間交互に点滅して、普通図柄始動手段２４による遊技球の検出時に取得された当たり判定乱数値が予め定められた当たり判定値と一致する場合に当たり態様に対応する「○」側の発光体が発光した状態で、それ以外の場合に外れ態様に対応する「×」側の発光体が発光した状態で、夫々点滅が終了するようになっている。
【００１５】
普通保留個数表示手段３１は、普通図柄表示手段２９の変動表示中又は後述の普通利益状態中に普通図柄始動手段２４が遊技球を検出した場合に、その検出時に取得された当たり判定乱数値が予め定められた上限保留個数（例えば４個）を限度として記憶されるため、上限保留個数と同数の発光体の発光個数により当たり判定乱数値の記憶個数（以下、普通保留個数という）を表示して、その時点での普通保留個数を遊技者に報知するようになっている。
【００１６】
特別図柄始動手段２５は、特別図柄表示手段３０による図柄変動を開始させるためのもので、上始動入賞手段２５ａと下始動入賞手段２５ｂとを上下に備えている。上始動入賞手段２５ａは非開閉式である。下始動入賞手段２５ｂは、遊技球が入球不可能（又は入球困難）な閉状態と入球可能（又は入球容易）な開状態とに切り換え可能な開閉式であり、普通図柄表示手段２９の変動後の停止図柄が当たり態様となって普通利益状態が発生したときに、閉状態から開状態へと所定時間開放されるようになっている。
【００１７】
特別図柄表示手段３０は、１個又は複数個、例えば１個の特別図柄を変動表示可能な７セグメント式等の表示手段により構成されており、特別図柄始動手段２５の上始動入賞手段２５ａ又は下始動入賞手段２５ｂに遊技球が入賞することを条件に特別図柄を所定時間変動表示して、始動入賞手段２５ａ，２５ｂへの入賞時に取得された大当たり判定乱数値が予め定められた大当たり判定値と一致する場合には特別図柄が所定の大当たり態様（特定態様）で、それ以外の場合には外れ態様で停止するようになっている。
【００１８】
特別保留個数表示手段３４は、特別図柄の変動表示中又は特別利益状態中に特別図柄始動手段２５に遊技球が入賞した場合に、その入賞時に取得された大当たり判定乱数値等が夫々所定の上限保留個数（例えば各４個）を限度として記憶されるため、大当たり判定乱数値の記憶個数（以下、特別保留個数という）を表示して、その時点での特別保留個数を遊技者に報知するようになっている。
【００１９】
演出図柄表示手段３３は、特別図柄表示手段３０による特別図柄の変動表示と並行して演出図柄３６ａ〜３６ｃを変動表示するもので、１個又は複数個（例えば左右方向に３個）の演出図柄３６ａ〜３６ｃを各種の演出画像と共に画像表示手段２０の表示画面に変動表示可能に構成されている。そして、演出図柄表示手段３３は、特別図柄始動手段２５の始動入賞手段２５ａ，２５ｂの何れかに遊技球が入賞した場合に、特別図柄の変動開始と同時に複数種類の変動パターンの何れかに従って演出図柄３６ａ〜３６ｃの変動を開始して、特別図柄の変動停止と同時に最終停止するように、演出図柄３６ａ〜３６ｃを左、右、中等の所定の順序で停止させるようになっている。
【００２０】
なお、演出図柄３６ａ〜３６ｃは、特別図柄が大当たり態様で停止する場合には大当たり演出態様で変動を停止し、特別図柄が外れ態様で停止する場合には外れ演出態様で変動を停止する。
【００２１】
可変入賞手段２６は、遊技球が入賞可能な開状態と入賞不可能な閉状態とに切り換え可能な開閉板２６ａを備えた開閉式であって、特別図柄表示手段３０の変動後の特別図柄が大当たり態様となって特別利益状態が発生したときに、開閉板２６ａが所定の開放パターンに従って前側に開放して、その上に落下した遊技球を内部へと入賞させるようになっている。
【００２２】
前扉４は、図１〜図６に示すように、前枠３の前面側に対応して矩形状に形成された合成樹脂製の扉ベース３８を備えている。扉ベース３８には、遊技領域１８を視認可能な視認窓３９と、その視認窓３９の上下左右に配置された上部スピーカ４０，４１及び下部スピーカ４２，４３と、視認窓３９の上側から左右両側に配置された左右一対の第１側部ユニット４４及び第２側部ユニット４５と、視認窓３９の下側で前側へと張り出す前張り出しユニット（前突出ユニット）４６とが設けられている。なお、下部スピーカ４２，４３の後側は、下部スピーカ４２，４３を経て後側へとピアノ線等の不正部材の挿入を防止するための保護カバー４７，４８により覆われている。
【００２３】
視認窓３９は遊技領域１８に対応して扉ベース３８に設けられており、扉ベース３８の裏側に着脱自在に装着されたガラスユニット４９により塞がれている。ガラスユニット４９は、遊技領域１８を透視可能な前後２枚のガラス板５０と、この前後２枚のガラス板５０の外側を保持する保持枠５１とを備え、係合手段５２を介して受け枠５３上に載置され、上部側が左右一対の固定手段５４により扉ベース３８の裏側に着脱自在に固定されている。
【００２４】
ガラス板５０は視認板を構成するものであり、一般的には無色透明なものが使用されている。なお、このガラス板５０は遊技領域１８を透視可能であれば十分であり、無色透明である必要はなく、着色透明の合成樹脂板等でもよい。
【００２５】
前張り出しユニット４６は、図２、図４、図５、図７に示すように、中央部が前側に突出する平面視略三角形状に構成されている。この前張り出しユニット４６には、操作演出用の操作演出手段５５と、発射用の遊技球を貯留する上皿（発射球貯留部）５６と、余剰球を貯留する下皿（余剰球貯留部）５７とが設けられ、また操作演出手段５５に対して上皿５６及び下皿５７と反対側に発射操作用の発射ハンドル５８が設けられている。
【００２６】
操作演出手段５５は遊技者が押圧操作可能な操作ボタン７８を有し、操作誘導表示手段３５に操作誘導画像が表示された場合に、その操作誘導画像の表示中に遊技者が操作ボタン７８を押圧操作したときに、画像表示手段２０が操作演出画像を表示する等により、所定の操作演出が実行されるようになっている。
【００２７】
なお、前扉４は、視認窓３９及びガラスユニット４９等を備えた上部側のガラス扉と、操作演出手段５５、上皿５６、下皿５７及び発射ハンドル５８等を備えた下部側の開閉扉とに二分割して、ガラス扉と開閉扉とが別々に開閉するように構成することも可能である。
【００２８】
扉ベース３８は、図６に示すように、視認窓３９の上側に左右方向に配置された上ベース部６０と、視認窓３９の左右両側に上下方向に配置された縦ベース部６１，６２と、視認窓３９の下側に左右方向に配置された下ベース部６３とを有し、下ベース部６３は前枠３の下部装着部１５の前側に対応して上下に広幅状に形成されている。
【００２９】
扉ベース３８の裏側には、上ベース部６０の上端側に左右方向の横補強部材６４が、左右の縦ベース部６１，６２の外側に上下方向の縦補強部材６５，６６が、下ベース部６３に下補強部材６７が夫々装着されている。下補強部材６７は下ベース部６３の略全体に対応する広幅状であって、左右両端部に縦補強部材６５，６６の下端側が前後に重合してねじ等により連結されており、上端側に後方に屈曲する受け枠５３が設けられている。なお、各補強部材６４〜６７は板金製である。
【００３０】
扉ベース３８の上ベース部６０と左右の縦ベース部６１，６２との接合部分、下ベース部６３と左右の縦ベース部６１，６２との接合部分は、内周側が視認窓３９に対応して円弧状であるため広幅状になっている。そして、上ベース部６０と左右の縦ベース部６１，６２との接合部分には、スピーカ装着部６８，６９を介して上部スピーカ４０，４１が前向きに装着されている。また下ベース部６３と左右の縦ベース部６１，６２との接合部分には、スピーカ装着部（図示省略）を介して下部スピーカ４２，４３が前向きに装着されている。
【００３１】
施錠手段７は、前枠３を外枠２に対して閉状態に施錠する前枠施錠機構（図示省略）と、前扉４を前枠３に対して閉状態に施錠する前扉施錠機構（図示省略）と、キー操作により解除操作可能に前扉４側に設けられたシリンダー式の解除操作手段７０と、この解除操作手段７０を前枠施錠機構及び前扉施錠機構に連動させる連動機構７１とを備えている。  扉ベース３８の上部には、図７〜図１１に示すように、前側に突出する左右一対のスピーカ装着部６８，６９が一体に形成されている。各スピーカ装着部６８，６９は前後両側が開口する正面視略四角形状であり、この各スピーカ装着部６８，６９には、その後開口側から上部スピーカ４０，４１が着脱自在に挿入し収容されている。
【００３２】
ヒンジ５，６側のスピーカ装着部６８の上側には、図９に示すように、前後及び左右方向に平坦な平坦頂部７２と、この平坦頂部７２の左右両側に形成された受け部７３，７４とが設けられ、その各受け部７３，７４上に各側部ユニット４４，４５の相対向する端部側の重なり部７５，７６が平坦頂部７２と略面一状に重なって配置されている。ヒンジ５，６と反対側のスピーカ装着部６９の上側には、図１０に示すように、第２側部ユニット４５用の前後及び左右方向に平坦な受け部７７が設けられている。
【００３３】
上部スピーカ４０，４１は、図１１に上部スピーカ４１を例示するように、スピーカフレーム７９内に磁石８０、コイルボビン８１、振動板８２、センターキャップ８３等を備え、スピーカフレーム７９の前側に前カバー８４が装着されている。前カバー８４はスピーカ装着部６８，６９の前開口側に嵌め込まれている。
【００３４】
各上部スピーカ４０，４１には、磁石８０等の内周側の内部空間８５に前後方向に配置された導光体８６と、この導光体８６の後端側に近接してＬＥＤ８７が装着されたＬＥＤ基板８８とを有し、ＬＥＤ基板８８のＬＥＤ８７が発光したときに、その光を導光体８６からセンターキャップ８３、前カバー８４を経て前側に照射するようになっている。
【００３５】
導光体８６、センターキャップ８３は透明な合成樹脂製であり、前カバー８４は音声及び光が前側に出るように多数の小孔８４ａが形成されている。導光体８６はスピーカフレーム７９の後壁部７９ａの通孔８９に挿入して着脱自在に支持されている。また、後壁部７９ａの裏側には、そのＬＥＤ８７が導光体８６と前後に相対向するように、ＬＥＤ基板８８がねじ等で着脱自在に固定されている。前カバー８４は無色透明、着色透明、不透明の何れでもよい。なお、前カバー８４が無色透明又は着色透明の合成樹脂製の場合には、その裏面側に凹凸状の乱反射部を形成して、ＬＥＤ８７からの光により前カバー８４自体が発光するようにしてもよい。
【００３６】
このように上部スピーカ４０，４１に導光体８６、ＬＥＤ基板８８等の発光手段を組み付けることにより、ＬＥＤ基板８８のＬＥＤ８７からの光を導光体８６からセンターキャップ８３、前カバー８４を経て前側に照射することができる。従って、上部スピーカ４０，４１を効果音の発生の他に発光演出用として利用することができ、従来にない演出効果を期待することができる。
【００３７】
扉ベース３８のヒンジ５，６側の縦ベース部６１の前面には、図１、図１８に示すように、パチンコ機１の機種Ａ及び機種Ｂ等のように複数機種に共通の第１側部ユニット４４が着脱自在に装着されている。また扉ベース３８のヒンジ５，６と反対側の縦ベース部６２の前面には、上側突出部９５を備えた機種Ａ用の第２側部ユニット４５（図１参照）と、右側突出部９６を備えた機種Ｂ用の第３側部ユニット９７（図３参照）とが交換可能に着脱自在に装着されている。
【００３８】
第２側部ユニット４５は図１に示すように機種Ａに専用であり、また第３側部ユニット９７は図１８に示すように機種Ｂに専用であって、パチンコ機１の製造時にその機種Ａと機種Ｂとの違いによって第２側部ユニット４５と第３側部ユニット９７との何れかを選択して装着できるようになっている。
【００３９】
例えば、機種Ａと機種Ｂとの複数機種のパチンコ機１を製造する場合には、前扉４の扉ベース３８と第１側部ユニット４４とを共通に使用して、これに特有の構成を有する機種Ａの第２側部ユニット４５又は機種Ｂの第３側部ユニット９７を組み合わせて、前扉４の視認窓３９の周辺部分を構成する。なお、必要に応じて第１側部ユニット４４のデザイン、その他の構成を変えてもよい。
【００４０】
このようにすれば、前扉４の扉ベース３８と第１側部ユニット４４とを共通に使用しながらも、第２側部ユニット４５と第３側部ユニット９７とを変えることによって、機種Ａ、機種Ｂのパチンコ機１を容易に製作することができる。
【００４１】
また、効果音発生用の上部スピーカ４０，４１、下部スピーカ４２，４３等のように、各機種Ａ，Ｂに共通する電子部品は、全て扉ベース３８、第１側部ユニット４４に装着して、機種Ａ、機種Ｂに特有の電子部品のみを第２側部ユニット４５又は第３側部ユニット９７に組み込めばよいので、電子部品等の無駄がなく製作コストを大幅に低減することができる。
【００４２】
第１側部ユニット４４、第２側部ユニット４５は、上部スピーカ４０，４１から下の前側部分が略同様に構成されており、図４に第１側部ユニット４４を例示するように、扉ベース３８の前面に配置され且つ前面に多数のＬＥＤ９８が装着されたＬＥＤ基板９９と、このＬＥＤ基板９９を前側から覆う発光装飾カバー１００とを備え、ＬＥＤ９８からの光により発光装飾カバー１００の前面側を発光させるようになっている。
【００４３】
ＬＥＤ基板９９は上下方向に複数に分割されており、両者がコネクタ１０１等により接続されている。発光装飾カバー１００は無色透明又は着色透明の合成樹脂製であって、裏側の内面に凹凸状の乱反射部（図示省略）が設けられている。
【００４４】
第２側部ユニット４５は、図５、図７、図１２に示すように、上部スピーカ４０側から上部スピーカ４１を経て下部スピーカ４３に跨がる正面視略Ｌ字状に構成され、その左右の上部スピーカ４０，４１間に前側へと突出する上側突出部９５が設けられている。
【００４５】
第２側部ユニット４５は、合成樹脂製のユニット枠１１０と、このユニット枠１１０を裏側から補強する板金製のユニット補強板１１１と、ユニット枠１１０の上部側から前側に突出する上側突出部９５とを備えている。なお、第２側部ユニット４５の上部スピーカ４１と下部スピーカ４３との間の内部構造は、第１側部ユニット４４の前面側と略同様の構成である。
【００４６】
この第２側部ユニット４５は、図７、図１２に示すように、両端側の第１、第２位置決め手段１１２，１１３と、分散して配置された第１〜第３係止手段１１４〜１１６と、分散して配置されたねじ式の第１〜第３固定手段１１７〜１１９とにより扉ベース３８の裏側から着脱自在に装着されている。
【００４７】
第２側部ユニット４５には、図７、図１２に示すように、上部スピーカ４１用のスピーカ装着部６９に対応する開口部１２１が設けられ、この開口部１２１と反対側の端部が上部スピーカ４１用のスピーカ装着部６９側に上側から重合している。開口部１２１にはスピーカ装着部６９が出し入れ自在であり、この開口部１２１の上側壁１２２をスピーカ装着部６９の受け部７７の上面に載せることができる。
【００４８】
スピーカ装着部６８には、図９に示すように第２側部ユニット４５用の受け部７４があり、また第２側部ユニット４５のスピーカ装着部６８側の端部には、受け部７４に上側から重なる重なり部７６が設けられている。
【００４９】
このようにすれば、第２側部ユニット４５を扉ベース３８の前側に装着する際には、スピーカ装着部６９を開口部１２１の案内用とし、スピーカ装着部６８を重なり部７６の案内用として夫々利用しながら作業をすることが可能であり、第２側部ユニット４５を扉ベース３８側の所定の取り付け位置に容易に配置することができる。
【００５０】
また第２側部ユニット４５の開口部１２１及び重なり部７６が左右のスピーカ装着部６８，６９に対応した後は、そのスピーカ装着部６８，６９を介して第２側部ユニット４５を扉ベース３８側に預けて、スピーカ装着部６８，６９により第２側部ユニット４５側の略全荷重を支持した状態で位置合わせ等の細かい作業を行うことが可能である。そのため第２側部ユニット４５の荷重を常時支える必要がなく、装着時の作業員の負担を軽減することができる。
【００５１】
上側突出部９５は上下に薄い偏平状であって、上面が前扉４の上面と略面一状であり、左右中央側が前側に円弧状又は三角形状に突出するようになっている。上側突出部９５のヒンジ５，６側の端部では、スピーカ装着部６８と干渉しないように、ユニット補強板１１１の前側にＬ字状に屈曲する屈曲部１２３（図８参照）が設けられている。
【００５２】
第１位置決め手段１１２は、図９、図１２に示すように第２側部ユニット４５の上部先端側に配置され、また第２位置決め手段１１３は、図１２、図１３に示すように第２側部ユニット４５の側部下端側に配置されている。
【００５３】
第１位置決め手段１１２は、図９に示すように、スピーカ装着部６８の受け部７４に形成された位置決め凹部１４３と、第２側部ユニット４５の端部の重なり部７６に形成された位置決め凸部１４４とを備え、位置決め凹部１４３と位置決め凸部１４４とにより、第２側部ユニット４５の上部先端側を前後左右に位置決めするようになっている。
【００５４】
位置決め凹部１４３と位置決め凸部１４４は、スピーカ装着部６８の内側部分に平面視Ｌ字状に形成されている。なお、この第１位置決め手段１１２は、重なり部７６に位置決め凹部１４３を設け、受け部７４に位置決め凸部１４４を設けてもよい。また、第１位置決め手段１１２は、他の構造でもよい。
【００５５】
第２位置決め手段１１３は、図１３（ａ）（ｂ）に示すように扉ベース３８、縦補強部材６６に形成された位置決め孔部１４５と、ユニット補強板１１１の下端側に屈曲形成された位置決め突部１４６とを備え、位置決め孔部１４５と位置決め突部１４６とにより、第２側部ユニット４５の側部下端側を扉ベース３８に対して左右方向に位置決めするようになっている。
【００５６】
位置決め孔部１４５と位置決め突部１４６との間には、二点鎖線で示すように、各係止手段１１４〜１１６を係脱するに必要な上下方向の余裕がある。なお、この第２位置決め手段１１３は、ユニット補強板１１１に位置決め孔部１４５を設け、扉ベース３８に位置決め突部１４６を設けてもよい。また第２位置決め手段１１３は、他の構造でもよい。
【００５７】
第２側部ユニット４５の装着に際しては、中間部分に配置される複数の第１〜第３係止手段１１４〜１１６、第１〜第３固定手段１１７〜１１９により第２側部ユニット４５を扉ベース３８に固定するが、第２側部ユニット４５の両端側に第１、第２位置決め手段１１２，１１３を設けることにより、第２側部ユニット４５の両端側の左右位置等を確実に規制することができる。そのため遊技者の悪戯等による第２側部ユニット４５の下端側の位置ズレ等を防止できる利点がある。
【００５８】
第１〜第３係止手段１１４〜１１６は、図１４〜図１６に示すように、第２側部ユニット４５の上部先端側と側部上端側と側部中間側との三箇所に配置されており、ユニット補強板１１１に下向きに一体に設けられた係止爪１５０〜１５２と、縦補強部材６６等に設けられた孔状の係止部１５３〜１５５とを備え、その第２係止手段１１５にはクランプ手段１５８が設けられている。
【００５９】
第１〜第３係止手段１１４〜１１６の各係止爪１５０〜１５２の突出長さは、第３係止手段１１６が最大であり、第１係止手段１１４、第２係止手段１１５の順で短くなっている。つまり、第１〜第３係止手段１１４〜１１６の係止爪１５０〜１５２と係止部１５３〜１５５との係合長さ１１４ａ〜１１６ａは、係合長さ１１６ａ＞係合長さ１１４ａ＞係合長さ１１５ａの関係にある。
【００６０】
第１〜第３係止手段１１４〜１１６の係合長さ１１４ａ〜１１６ａは、係合長さ１１６ａ＞係合長さ１１４ａ＞係合長さ１１５ａに設定されている。そのため第１〜第３係止手段１１４〜１１６の係止爪１５０〜１５２を係止部１５３〜１５５に係合させて第２側部ユニット４５を扉ベース３８に係止する際には、第３係止手段１１６、第１係止手段１１４、第２係止手段１１５の順序で第１〜第３係止手段１１４〜１１６を順次係合させることができる。従って、第１〜第３係止手段１１４〜１１６を同時に係合させる場合に比較して、係止爪１５０〜１５２を係止部１５３〜１５５に対して容易に係合させることができる。
【００６１】
第１〜第３係止手段１１４〜１１６の何れか一つの係合長さ１１４ａ〜１１６ａを最大とし、他の二つの係合長さは略同じにしてもよい。例えば、第３係止手段１１６の係合長さ１１６ａを最大とし、第１、第２係止手段１１４，１１５の係合長さ１１４ａ，１１５ａを係合長さ１１６ａよりも短い略同じ長さとすることも可能である。この場合には、第２側部ユニット４５の装着に際しては、各係止手段１１４〜１１６は、下側の第３係止手段１１６から上側の第１、第２係止手段１１４，１１５へと順次係合することになる。
【００６２】
第２係止手段１１５は、図１６（ａ）（ｂ）に示すように、係止爪１５１、係止部１１５４を左右に複数配置する等により、他の係止手段１１４，１１６に比較して剛強になっており、係止部１５４に係合した後の係止爪１５１を係止部１５４側へと締め付けるようにクランプ手段１５８が設けられている。
【００６３】
クランプ手段１５８は、係止爪１５１の下側で縦補強部材６６に固定された平面視Ｕ字状のブラケット１５９と、このブラケット１５９に支軸１６０廻りに枢支された平面視逆Ｕ字状のクランプレバー１６１と、クランプレバー１６１の中間に連結軸１６２により連結され且つ係止爪１５１の上側の係合部１６３に上側から係合するＵ字状のクランプ具１６４とを備えている。クランプレバー１６１にはその遊端側に操作部１６５が設けられている。
【００６４】
第２側部ユニット４５の装着に際しては、第１〜第３係止手段１１４〜１１６の係止爪１５０〜１５２を係止部１５３〜１５５に係合した後に、クランプ手段１５８のクランプ具１６４を係止爪１５１の係合部１６３に係合させる。そして、第２係止手段１１５側では、クランプレバー１６１を支軸１６０廻りに下側へと回動させて、クランプ手段１５８により第２係止手段１１５を締め付ける。
【００６５】
クランプレバー１６１を支軸１６０廻りに下側へと回動させた場合、その連結軸１６２がクランプ具１６４の係止爪１５１に対する係合位置と支軸１６０とを結ぶ線分から縦補強部材６６側へと越えて縦補強部材６６に当接することにより、第２係止手段１１５の係止爪１５１を係止部１５４側へと係合方向に締め付けることができる。そのため第２係止手段１１５の係止爪１５１は、クランプ手段１５８による締め付けにも十分に堪え得るように、他の第１、第３係止手段１１４，１１６に比較して剛強になっている。
【００６６】
従って、第２係止手段１１５の係止爪１５１の係止部１５４に上側から係止させるだけの場合に比較して、第２側部ユニット４５の機械的な振動を防止することができ、ねじ式の第１〜第３固定手段１１７〜１１９の振動による弛み等を確実に防止することが可能である。
【００６７】
第１〜第３固定手段１１７〜１１９は、図１７に示すように、第２側部ユニット４５の上部先端側と側部上下両端側との三箇所に配置されている。この第１〜第３固定手段１１７〜１１９は、図１７に第１固定手段１１７を例示するように、ユニット補強板１１１に形成されたねじ孔１６８〜１７０と、横補強部材６４側から扉ベース３８に挿通され且つねじ孔１６８〜１７０に螺合可能な固定ねじ１７１〜１７３とを備え、固定ねじ１７１〜１７３は操作部１７４〜１７６を有する。
【００６８】
ヒンジ５，６側のスピーカ装着部６８には、その上側突出部９５側にねじ挿通部１７７が前後方向に形成されており、ユニット補強板１１１側からねじ挿通部１７７に固定ねじ１７１が挿通されている。固定ねじ１７１は、ねじ挿通部１７７の後側でユニット補強板１１１の屈曲部１２３の先端部に形成されたねじ孔１６８に螺合されている。固定ねじ１７１〜１７３は、扉ベース３８から脱落しないように扉ベース３８側に取り付けられている。
【００６９】
第２側部ユニット４５を扉ベース３８の前側に装着する場合には、第１〜第３係止手段１１４〜１１６により第２側部ユニット４５を扉ベース３８に係止した後、第１〜第３固定手段１１７〜１１９の固定ねじ１７１〜１７３をねじ孔１６８〜１７０に螺合して、この第１〜第３固定手段１１７〜１１９により第２側部ユニット４５を扉ベース３８に締め付けて固定する。そのため装着後の第２側部ユニット４５のガタツキ等を確実に防止することができる。
【００７０】
第３側部ユニット９７は、図１８〜図２１に示すように、第２側部ユニット４５と同様に正面視略Ｌ字状に構成され、合成樹脂製のユニット枠１１０と、このユニット枠１１０を裏側から補強する板金製のユニット補強板１１１と、遊技領域１８の右側で前方向に突出する縦長状の右側突出部９６と、遊技領域１８の上側に横方向に配置され且つ右側突出部９６よりも突出量の小さい上側突出部１８０とを備え、第１、第２位置決め手段１１２，１１３と第１〜第３係止手段１１４〜１１６と第１〜第３固定手段１１７〜１１９とを介して扉ベース３８の前側に着脱自在に装着されている。
【００７１】
即ち、右側突出部９６は、図２２〜図２４に示すように、遊技領域１８と反対側に上下方向に配置された外カバー１８１と、遊技領域１８側に上下方向に配置された内カバー１８２と、この外カバー１８１及び内カバー１８２の前端側に配置された前カバー１８３と、これらカバー１８１〜１８３の上下両側に配置された上カバー１８４及び下カバー１８５とを外周側に備えている。
【００７２】
外カバー１８１は前枠３、前扉４の扉ベース３８の右外側縁等に沿って略真っ直ぐに前方に突出している。一方、内カバー１８２は、遊技領域１８の右側縁に沿って上下方向に略円弧状に湾曲して配置されており、また内カバー１８２の後端側よりも内カバー１８２の前端側が遊技領域１８内に突出するように左右方向に傾斜して配置されている。
【００７３】
内カバー１８２の後端側は、遊技領域１８の右外側縁の近傍に配置され、また内カバー１８２の前端側は外カバー１８１の前後方向の略半分又は半分よりも前側に配置され、且つ遊技領域１８の右側部分と前後方向に重なるように配置されている。
【００７４】
外カバー１８１の前端側と内カバー１８２の前端側とは前後に離間しており、この外カバー１８１と内カバー１８２との前端間に前カバー１８３が前内側下向きに傾斜して配置されている。また前カバー１８３は上端側が下端側よりも前側に突出しており、前下向きに傾斜状に配置されている。
【００７５】
従って、右側突出部９６は、後端側の左右幅Ｗ１が最小であるのに対して前端側の左右幅Ｗ２が最大であり、また上端側の突出量が下端側の突出量よりも大である。その結果、前カバー１８３は前内側下向きに傾斜している。
【００７６】
右側突出部９６内には、前側が前内側下向きに傾斜する上支持部材１８６と下支持部材１８７とが前カバー１８３に沿ってユニット枠１１０の前側に装着され、この上支持部材１８６と下支持部材１８７との前面に、上ＬＥＤ基板１８８と下ＬＥＤ基板１８９とが装着されている。
【００７７】
上・下ＬＥＤ基板１８８，１８９の前面には、図２０、図２２に示すように、複数のＬＥＤ１９０，１９１が装着されており、そのＬＥＤ１９０，１９１からの光により前カバー１８３側を発光させるようになっている。上・下ＬＥＤ基板１８８，１８９には、ＬＥＤ１９０，１９１を前側から覆う覆い部材１９２が上・下ＬＥＤ基板１８８，１８９に跨がって装着されている。
【００７８】
前カバー１８３は発光表示部を構成するものであって、裏側の着脱支持部材１９４と結合されており、また前カバー１８３と着脱支持部材１９４との間に拡散シート１９５が介在されている。前カバー１８３、着脱支持部材１９４、拡散シート１９５、覆い部材１９２は光透過性を有する合成樹脂製である。
【００７９】
前カバー１８３、着脱支持部材１９４、拡散シート１９５により前カバーユニット１９７が構成されている。この前カバーユニット１９７は、上端側の係合手段１９８と、下部側のロック手段１９９とにより、右側突出部９６の前側に着脱自在に装着されており、図２３に二点鎖線で示すように取り外し可能である。前カバーユニット１９７を右側突出部９６の前側に取り付けたときには、前カバー１８３の略全周が外カバー１８１、内カバー１８２等の前端側に嵌合又は当接して固定された状態となる。
【００８０】
係合手段１９８は、図２２、図２５、図２６に示すように、上カバー１８４の前端側に設けられた被係合部２００と、着脱支持部材１９４の上端側に屈曲状に形成された係合部２０１とを備え、その係合部２０１が被係合部２００に対して下裏側から係脱自在に係合するようになっている。
【００８１】
ロック手段１９９は、図２２、図２７に示すように、着脱支持部材１９４から覆い部材１９２、下ＬＥＤ基板１８９等の通孔２０９を経て裏側に突出する係合部２０２と、下支持部材１８７に支軸２０３により枢着され且つ係合部２０２に係脱自在に係合する係合部材２０４と、係合部材２０４と下支持部材１８７の受け部２０５との間に挿脱自在に挿入され且つ挿入時に係合部材２０４を係合部２０２から離脱不能にロックするロック部材２０６とを備えている。ロック部材２０６はロック手段１９９の裏側に対応してユニット補強板１１１等に形成された操作孔２０７に裏側から挿脱自在に挿入されている。
【００８２】
前カバーユニット１９７を取り外す際には、ユニット補強板１１１の裏側の操作孔２０７側からロック手段１９９のロック部材２０６を後方に引き抜けばよい。このロック部材２０６を後方に引き抜くことより、図２７に示すように、係合部材２０４が支軸２０３廻りに回動して係合部２０２から離脱するため、ロック手段１９９によるロックを解除することができる。そして、その後に図２５に示すように係合手段１９８の係合を外せば、前カバーユニット１９７を右側突出部９６の前側から容易に取り外すことができる。
【００８３】
前カバーユニット１９７を右側突出部９６の前側に装着する場合には、上側の係合手段１９８を係合させた後、この係合手段１９８側を支点として前カバーユニット１９７を覆い部材１９２側へと回動させると、係合部２０２が覆い部材１９２等の通孔２０９を経て裏側に突出して係合部材２０４の上側に位置する。
【００８４】
次にユニット補強板１１１等の操作孔２０７から係合部材２０４と受け部２０５との間にロック部材２０６を挿入すると、係合部材２０４が支軸２０３廻りに回動して係合部２０２に下側から係合してロックする。これによって前カバーユニット１９７を図２２に示すように右側突出部９６の前側に容易に取り付けることができる。
【００８５】
着脱支持部材１９４の裏側には、図２２に示すように、芳香剤１０３を収容する芳香剤収容部１０４が凹入状に設けられ、その芳香剤収容部１０４に袋その他の収納部材に収納された芳香剤１０３が着脱自在に収容されている。芳香剤収容部１０４内には、芳香剤１０３を着脱自在に保持する保持具１０５が設けられている。また覆い部材１９２には、前カバーユニット１９７を右側突出部９６の前側に装着したときに芳香剤収容部１０４の開口側をシールする弾性シート等のシール材１０６が設けられている。
【００８６】
シール材１０６、覆い部材１９２には、芳香剤１０３の芳香が右側突出部９６内に移動するように芳香通路１０７が設けられている。右側突出部９６の内カバー１８２等の適当箇所には、右側突出部９６の内部空間内の芳香を遊技領域１８側に放出するように芳香口１０８が設けられている。シール材１０６は着脱支持部材１９４、覆い部材１９２の何れに設けても良い。
【００８７】
このように着脱支持部材１９４の裏側に形成された芳香剤収容部１０４に芳香剤１０３を収容しておけば、その芳香剤１０３の芳香が芳香通路１０７、芳香口１０８等を経て遊技者側に流れるため、遊技者は心地よい芳香の雰囲気下で遊技を行うことができる。
【００８８】
また芳香剤収容部１０４は前カバーユニット１９７の一部を構成する着脱支持部材１９４の裏側にあり、通常は覆い部材１９２側のシール材１０６により芳香剤収容部１０４の開口側を塞いでいるため、前カバーユニット１９７を取り外すことにより、芳香剤収容部１０４の芳香剤１０３を容易に交換又は補充することができる。
【００８９】
なお、前カバーユニット１９７を複数種類準備しておけば、その複数種類の前カバーユニット１９７の何れかを選択的に装着することにより、右側突出部９６の前面側のデザインを容易に変更することも可能である。また前カバーユニット１９７が損傷した場合にも、それを取り外して新しい前カバーユニット１９７と交換すればよいので、容易に修理することが可能である。
【００９０】
右側突出部９６内には、図２２〜図２４、図２８に示すように、ユニット補強板１１１の前側に固定された合成樹脂製の固定支持部材２１０と、前カバー１８３から前側に突出して配置され且つ第１付勢手段２１１に抗して遊技者が第１位置Ｘ１から第２位置Ｘ２へと前方に引っ張り操作可能な操作演出用の操作手段２１２と、右側突出部９６の内部で固定支持部材２１０に組み付けられ且つ操作手段２１２の後端側を支持し駆動する内部機構２１３とを備えている。
【００９１】
内部機構２１３は、図２２、図２４、図２８に示すように、振動を発生する振動発生手段２１４と、操作手段２１２及び振動発生手段２１４を一体的に移動可能に結合し且つ振動発生手段２１４の振動を操作手段２１２に伝達する振動伝達手段２１５と、振動発生手段２１４を介して操作手段２１２及び振動発生手段２１４を操作手段２１２の操作方向に一体的に案内する案内手段２１６と、振動伝達手段２１５を介して操作手段２１２を操作方向に往復駆動する往復駆動手段２１７と、遊技者による操作手段２１２の操作を検出する第１検出手段２１８とを備えている。
【００９２】
固定支持部材２１０は外カバー１８１と内カバー１８２との間で内カバー１８２に沿って上下方向に配置されており、板金製の取り付け金具２２０を介してユニット補強板１１１の前面に固定されている。取り付け金具２２０は、裏側に屈曲された上下一対の取り付け部２２１と、内カバー１８２と平面視略平行に傾斜して前側へと突出する左右一対の取り付け板２２３，２２４とを有し、その取り付け部２２１が裏側のユニット補強板１１１に固定され、また取り付け板２２３，２２４に固定支持部材２１０，案内手段２１６等が固定されている。
【００９３】
案内手段２１６は、図２９〜図３１に示すように、板金製の案内金具２２５と、この案内金具２２５に装着された合成樹脂製の案内部材２２６とを有し、その案内部材２２６により振動伝達手段２１５を前後方向に案内するようになっている。案内金具２２５は、一方の取り付け板２２３に当接する側壁部２２７と、この側壁部２２７の上下両側から略平行に屈曲する上下一対の支持壁部２２８とを備え、その側壁部２２７が固定支持部材２１０と共に内側の取り付け板２２３に共締め用のねじ２２９により着脱自在に固定されている。案内金具２２５は上下の支持壁部２２８の後端側の取り付け部２３０を有し、その取り付け部２３０が取り付け金具２２０の外側の取り付け板２２４にねじ２３１により着脱自在に固定されている。なお、案内金具２２５に代えて合成樹脂製の案内具を採用してもよい。
【００９４】
案内金具２２５は上下の支持壁部２２８に前後方向の長孔２３２を有し、その長孔２３２に案内部材２２６の上下両端部が嵌め込まれている。案内部材２２６は板状又は弓状であって、所定の間隔をおいて左右に相対向して配置され、その上下両端側が長孔２３２に嵌め込まれている。案内部材２２６は前後の複数箇所に上下一対の係合爪２３４を備え、上下両端部が長孔２３２に嵌め込まれた状態で係合爪２３４が上下の支持壁部２２８に上下方向の内側から係合している。
【００９５】
操作手段２１２は引っ張り操作レバーにより構成されている。この操作手段２１２は、図２２、図３１に示すように、覆い部材１９２の挿通部２３５に前後方向に出退自在に挿通された筒部２３６と、この筒部２３６の前端に設けられた球状の握り部２３７とを有し、遊技者が握り部２３７を把持して前方向に引っ張り操作するようになっている。筒部２３６は二つ割り状であって、その中心に挿通された金属棒等の金属製の芯部材２３８にねじ２３９等で着脱自在に固定されている。
【００９６】
握り部２３７には、その前面側に配置された発光表示部２４１と、握り部２３７内に設けられ且つ前面に発光表示部２４１と対向するＬＥＤ２４２が装着されたＬＥＤ基板２４３とを備え、所定の遊技状態となったときにＬＥＤ２４２からの光により発光表示部２４１が発光するようになっている。発光表示部２４１は、握り部２３７内に組み込まれたレンズ体２４４を備えている。
【００９７】
ＬＥＤ基板２４３にはコネクタ２４５を介してハーネス２４６が接続され、そのハーネス２４６は筒部２３６内を経て後端側へと導かれ、その後端側のハーネス案内部材２４７に沿って下側へと導出されている。なお、操作手段２１２は、遊技者が握り部２３７を把持し易く、また遊技者が発光表示部２４１を視認し易い高さに配置されている。
【００９８】
第１付勢手段２１１は、円錐コイルバネ等の圧縮バネにより構成され、操作手段２１２の筒部２３６の後端のハーネス案内部材２４７と一体の受け部２４８と、覆い部材１９２の挿通部２３５の外周側の受け部２４９との間に介在されている。
【００９９】
受け部２４９は覆い部材１９２から前側に突出する突出部２５０の前端に設けられており、また突出部２５０は着脱支持部材１９４の出退口２５１に対して出退自在であり、また前カバー１８３の前面には、前カバーユニット１９７の着脱時に操作手段２１２の握り部２３７が通過できるように、突出部２５０の外周で出退口２５１を前側から覆う装飾部材２５２が設けられている。従って、右側突出部９６の前側に突出する操作手段２１２があるにも拘わらず、操作手段２１２を着脱することなく容易に前カバーユニット１９７を着脱することができる。
【０１００】
振動伝達手段２１５は、図２８〜図３０に示すように、案内手段２１６により移動可能に支持された金属製の第１部材２５３と、この第１部材２５３に固定的に連結された金属製の第２部材２５４と、第１部材２５３に固定的に連結された金属製の第３部材２５５とを含む複数の金属部材２５３〜２５５を備え、その第１部材２５３に操作手段２１２が、第２部材２５４に振動発生手段２１４が夫々固定的に連結されている。振動伝達手段２１５は、第３部材２５５を介して往復駆動手段２１７の駆動により往復移動可能である。
【０１０１】
このように振動伝達手段２１５を複数の金属部材２５３〜２５５により構成し、振動伝達手段２１５に操作手段２１２と振動発生手段２１４とを固定的に連結することにより、振動発生手段２１４の振動を減衰させることなく効率的に操作手段２１２に伝達することができる。
【０１０２】
第１部材２５３は、案内手段２１６の外側に上下方向に配置された側壁部２５６と、この側壁部２５６の上下両端から案内手段２１６の案内部材２２６の上下両側に屈曲する支持壁部２５７とを備えた正面視コ字状であって、側壁部２５６の前端に外側に屈曲する連結部２５８を有し、その連結部２５８に操作手段２１２の芯部材２３８の後端が挿通され、連結部２５８よりも後側で操作手段２１２の芯部材２３８が連結具２５９により側壁部２５６に固定されている。
【０１０３】
第２部材２５４、第３部材２５５は丸棒等の金属棒により構成されており、第１部材２５３の支持壁部２５７に上下方向に挿通して上下動不能に固定されると共に、上下の支持壁部２５７間で一対の案内部材２２６により左右両側から前後方向に摺動自在に保持し案内されている。第２部材２５４は第１部材２５３の後部側に上向きに、第３部材２５５は第１部材２５３の前部側に下向きに夫々突出して固定されている。なお、第２部材２５４、第３部材２５５は丸棒以外の金属材料でもよい。
【０１０４】
第３部材２５５の移動経路上の前後に第１規制部２６０と第２規制部２６１とがあり、第３部材２５５が原点位置の第１規制部２６０に当接することにより操作手段２１２等を第１位置Ｘ１（原点位置）に、第３部材２５５が第２規制部２６１に当接することにより操作手段２１２等を第２位置Ｘ２（操作位置）に夫々規制するようになっている。
【０１０５】
従って、操作手段２１２及び振動発生手段２１４は、振動伝達手段２１５を介して、第１位置Ｘ１と第２位置Ｘ２との間で操作方向に移動可能である。第１規制部２６０は往復駆動手段２１７の後述の往復移動体２６３に固定され、第２規制部２６１は取り付け板２２３の前端側に固定されている。なお、第２規制部２６１は固定支持部材２１０の前端側に設けてもよい。
【０１０６】
振動発生手段２１４は、図２８〜図３０に示すように、第１部材２５３から上側に離れた位置で第２部材２５４に装着されており、第２部材２５４の上端部にねじ等で固定された振動ケース２６４と、振動ケース２６４内に収容された振動モータ２６５と、振動ケース２６４内に収容され且つ振動モータ２６５の回転軸２６６に偏心状に固定された偏心錘２６７とを備え、振動モータ２６５の回転時に、偏心錘２６７の回転軸２６６廻りの偏心運動により振動を発生するようになっている。振動ケース２６４は二つ割り状であって、振動モータ２６５、偏心錘２６７が外部に露出しないようにその内部に組み込まれている。
【０１０７】
振動発生手段２１４は第１部材２５３から第２部材２５４の上端側に離れているため、振動モータ２６５の回転動作時に、その離間位置で偏心錘２６７が回転軸２６６廻りに偏心運動する。そのため第１部材２５３の上側に直接振動発生手段２１４を装着する場合に比較して、偏心錘２６７の回転軸２６６廻りの偏心運動による振動を増幅することができる。
【０１０８】
往復駆動手段２１７は、操作手段２１２の操作範囲よりも小さい往復動作範囲内で操作手段２１２を往復移動させるためのものである。即ち、操作手段２１２が第１位置Ｘ１から第２位置Ｘ２までの操作範囲で操作可能であるのに対して、往復駆動手段２１７は、第１位置Ｘ１と、第１位置Ｘ１及び第２位置Ｘ２の中間の第３位置Ｘ３との間で操作手段２１２を往復移動させるようになっている。
【０１０９】
この往復駆動手段２１７は、図２８〜図３０、図３３に示すように、固定支持部材２１０に前後方向に移動可能に設けられ且つ第３部材２５５に当接する第１規制部２６０を有する往復移動体２６３と、この往復移動体２６３、第３部材２５５を介して操作手段２１２、振動伝達手段２１５等を第３位置Ｘ３側へと付勢する第２付勢手段２６２と、支持軸２６９廻りの正逆転により往復移動体２６３を第２付勢手段２６２に抗して原点位置と第３位置Ｘ３との間で往復操作する偏心ピン２６８（偏心カム）と、偏心ピン２６８を支持軸２６９廻り正逆駆動する駆動モータ２７０とを備えている。
【０１１０】
往復移動体２６３は固定支持部材２１０と第１押え部材２７２との間に配置されており、左右両側の摺動部材２７３，２７４を介して固定支持部材２１０と第１押え部材２７２とにより前後方向に移動自在に支持されている。摺動部材２７３，２７４はコロ状であって、固定支持部材２１０、第１押え部材２７２の軸部２７５，２７６に回転自在に套嵌され、固定支持部材２１０、第１押え部材２７２に前後方向に形成された案内溝２７７，２７８に嵌め込まれている。なお、摺動部材２７３，２７４は上下方向及び前後方向に離間して配置されている。
【０１１１】
第２付勢手段２６２はコイルバネ等の引っ張りバネにより構成され、固定支持部材２１０の前部側の掛け部２７９と、往復移動体２６３の後部側の掛け部２８０との間に介在されている。往復移動体２６３は下側に突出する被押圧部２８１を有し、被押圧部２８１に前側から偏心ピン２６８が当接可能である。
【０１１２】
偏心ピン２６８は、図３４に示す二点鎖線位置と実線位置との間で支持軸２６９廻りに変位可能である。従って、偏心ピン２６８は、支持軸２６９廻りの正逆転により、往復移動体２６３が第１位置Ｘ１（原点位置）と第３位置Ｘ３との間で往復移動するように被押圧部２８１に対して前後方向に進退する。
【０１１３】
なお、偏心ピン２６８の支持軸２６９廻りの正逆転方向の変位量Ｘは、操作手段２１２の第１位置Ｘ１と第３位置Ｘ３との間の往復移動量に対応しており、操作手段２１２の第１位置Ｘ１と第３位置Ｘ３との間で往復動作を繰り返す。
【０１１４】
偏心ピン２６８は欠歯ギヤー２８２に固定されている。欠歯ギヤー２８２は支持軸２６９を介して固定支持部材２１０に回転自在に支持され、駆動モータ２７０の回転軸２７１に固定された駆動ギヤー２８３に噛合されている。駆動モータ２７０は正逆転式の減速機付きモータにより構成され、第１押え部材２７２に取り付けられている。
【０１１５】
なお、第１押え部材２７２には、往復移動体２６３の第３位置Ｘ３への移動を検出して駆動モータ２７０を逆転させる第２検出手段２８４が設けられている。この第２検出手段２８４はフォトセンサ等の近接式であって、欠歯ギヤー２８２の外周に設けられた第２被検出部材２８５を介して検出するようになっている。
【０１１６】
第１検出手段２１８はフォトセンサ等の近接式であって、遊技者が操作手段２１２を第２位置Ｘ２へと操作したときに、その操作を検出移動体２８８の第１被検出部材２８６を介して検出するように固定支持部材２１０の上部に設けられている。
【０１１７】
固定支持部材２１０の上部には、図２９、図３０、図３２に示すように、この固定支持部材２１０と対向して第２押え部材２８７が固定され、この固定支持部材２１０と第２押え部材２８７との間に、第１被検出部材２８６を有する検出移動体２８８が前後方向に移動可能に配置されている。
【０１１８】
検出移動体２８８は振動伝達手段２１５の第１部材２５３と振動発生手段２１４との中間に配置され、左右両側の摺動部材２８９，２９０を介して固定支持部材２１０と第２押え部材２８７とにより前後方向に移動自在に支持されている。摺動部材２８９，２９０はコロ状であって、固定支持部材２１０、第２押え部材２８７の軸部２９１，２９２に回転自在に套嵌され、固定支持部材２１０、第２押え部材２８７に前後方向に形成された案内溝２９３，２９４に嵌め込まれている。なお、摺動部材２８９，２９０は前後方向に離間して配置されている。
【０１１９】
検出移動体２８８は第３付勢手段２９７により後方に付勢されて、摺動部材２９０が案内溝２９４の後端に当接する待機位置に保持されている。第３付勢手段２９７はコイルバネ等の圧縮バネであり、検出移動体２８８と固定支持部材２１０の受け部２９８，２９９との間に介在されている。
【０１２０】
また待機位置は第３位置Ｘ３と第２位置Ｘ２との間にあり、遊技者が操作手段２１２を前方に引っ張り操作した場合に、操作手段２１２が第３位置Ｘ３に達したときにも第２部材２５４が検出移動体２８８に当接せず、操作手段２１２が第３位置Ｘ３から第２位置Ｘ２側へと更に操作したときに、その第２部材２５４が検出移動体２８８に当接して操作手段２１２と検出移動体２８８とを一体的に第２位置Ｘ２側へと移動させるようになっている。
【０１２１】
通常は操作手段２１２は、後方に後退した第１位置Ｘ１に保持されている。このときには、図２８に示すように、偏心ピン２６８が第２付勢手段２６２に抗して往復移動体２６３の被押圧部２８１を後方側へと押圧して、往復移動体２６を原点位置に保持している。そのため第１付勢手段２１１により振動伝達手段２１５が後方に付勢され、第３部材２５５が往復移動体２６３の第１規制部２６０に当接している。従って、操作手段２１２は、図２２に実線で示すように、原点位置の往復移動体２６３に対応する後端の第１位置Ｘ１に保持された状態にある。
【０１２２】
外部の演出制御手段等から往復駆動手段２１７に往復駆動指令が入ると、駆動モータ２７０が正逆転し、この駆動モータ２７０の正逆転に同期して操作手段２１２が第１位置Ｘ１と第３位置Ｘ３との間で前後方向に往復移動を繰り返す。従って、この操作手段２１２の往復移動により、遊技者に対して可動演出を行うことができる。
【０１２３】
即ち、往復駆動指令が入ると、先ず駆動モータ２７０の駆動により欠歯ギヤー２８２が支持軸２６９廻りに図２８のｃ矢示方向に回転し、その欠歯ギヤー２８２に固定された偏心ピン２６８が被押圧部２８１に対して図２８の実線位置から図３４の実線位置まで後退する。
【０１２４】
そのため偏心ピン２６８の後退動作に従って、往復移動体２６３が第２付勢手段２６２の付勢により図２８のｄ矢示方向に移動して、第１規制部２６０、第３部材２５５を介して操作手段２１２が第１付勢手段２１１に抗して第３位置Ｘ３へと前進する。
【０１２５】
偏心ピン２６８が図３４の実線位置まで後退して操作手段２１２が第３位置Ｘ３に達すると、第２検出手段２８４が欠歯ギヤー２８２の第２被検出部材２８５を介して操作手段２１２の第３位置Ｘ３への到達を検出して、駆動モータ２７０に逆転信号を送る。そのため駆動モータ２７０の逆転動作に伴い欠歯ギヤー２８２が反ｃ矢示方向に回転し、その欠歯ギヤー２８２の偏心ピン２６８が被押圧部２８１へと移動する。
【０１２６】
この偏心ピン２６８の反ｃ矢示方向への移動により、第２付勢手段２６２の付勢力により往復移動体２６３が原点位置へと反ｄ矢示方向に移動するため、第３部材２５５が往復移動体２６３の第１規制部２６０に当接した状態で、第１付勢手段２１１の付勢力により、振動伝達手段２１５と一体に操作手段２１２が第１位置Ｘ１へと後退する。
【０１２７】
操作手段２１２が第１位置Ｘ１まで復帰すれば、駆動モータ２７０が逆転して、操作手段２１２を第１位置Ｘ１から第３位置Ｘ３へと移動させる。以下、同様に操作手段２１２が第１位置Ｘ１、第３位置Ｘ３に到達する都度、駆動モータ２７０を逆転させることにより、操作手段２１２が第１位置Ｘ１と第３位置Ｘ３との間の往復動作範囲内で前後方向に往復動作をさせることができる。
【０１２８】
なお、操作手段２１２が所定時間又は所定回数往復動作を繰り返せば、往復駆動指令の終了等により、往復動作を終了する。
【０１２９】
画像表示手段２０の操作誘導表示手段３５に操作誘導画像が表示された場合には、その操作誘導画像の表示中は操作手段２１２の前側への引っ張り操作が有効になる。そして、表示中に操作手段２１２を第２位置Ｘ２まで引っ張れば、第１検出手段２１８が操作手段２１２の操作を検出して、画像表示手段２０の表示画面に操作演出画像を表示する等により操作演出を実行する。
【０１３０】
操作手段２１２は通常第１位置Ｘ１に保持されている。その状態で遊技者が操作手段２１２の握り部２３７を把持して前方へと引っ張ると、図３５に示すように、往復駆動手段２１７の往復移動体２６３が原点位置に停止したままで、第１付勢手段２１１に抗して操作手段２１２、振動伝達手段２１５、振動発生手段２１４等が一体的にｄ矢示方向へと移動する。
【０１３１】
振動伝達手段２１５の第２部材２５４が第３位置Ｘ３を越えて待機位置まで達すると、待機中の第２部材２５４が検出移動体２８８に当接して、検出移動体２８８が第３付勢手段２９７に抗しながら第２部材２５４と一体にｄ矢示方向に移動する。
【０１３２】
操作手段２１２が第２位置Ｘ２まで達すれば、第３部材２５５が第２規制部２６１に当接する一方、図３６に示すように、第１検出手段２１８が検出移動体２８８の第１被検出部材２８６を介して、操作手段２１２の第２位置Ｘ２への操作を検出する。
【０１３３】
従って、第１検出手段２１８は、遊技者が操作手段２１２を第２位置Ｘ２まで操作すれば、検出移動体２８８を介してその操作を検出するが、往復駆動手段２１７の駆動により操作手段２１２が往復動作をする場合には、それを検出することはない。
【０１３４】
操作手段２１２の握り部２３７の保持を解除すると、第１付勢手段２１１の付勢力により、操作手段２１２は振動伝達手段２１５と一体に第１位置Ｘ１へと復帰する。操作手段２１２の握り部２３７を保持したままで戻し方向に操作した場合にも、操作手段２１２は同様に復帰する。
【０１３５】
演出制御手段等から振動発生手段２１４に振動演出指令が入ると、振動モータ２６５の回転軸２６６が回転して、その回転軸２６６に固定された偏心錘２６７が回転軸２６６廻りに偏心運動を行い、振動発生手段２１４に振動が発生する。そして、この振動発生手段２１４の振動は、第２部材２５４、第１部材２５３等の振動伝達手段２１５を介して操作手段２１２へと伝達することができる。従って、この操作手段２１２の振動中に、操作手段２１２の握り部２３７を把持すれば、遊技者は容易且つ確実に操作手段２１２の振動を把握することができる。
【０１３６】
また振動発生手段２１４は、振動モータ２６５の回転軸２６６に固定された偏心錘２６７の偏心運動を利用する構成であるが、第１部材２５３から突出する第２部材２５４の先端側に振動発生手段２１４を設けているため、振動発生手段２１４で発生した振動を第２部材２５４により増幅することができる。更に操作手段２１２は、筒体の中に金属製の芯部材２３８を設けているので、振動伝達手段２１５から芯部材２３８を経て握り部２３７に確実に振動を伝達することができる。
【０１３７】
上側突出部１８０は、図３６に示すように、ユニット補強板１１１の前側に装着された表示窓３０１を備え、その表示窓３０１に表示板３０２が嵌め込まれている。表示板３０２には、印刷その他により必要事項が付された表示シート３０３が前面に貼着されると共に、後方にＬＥＤ３０４を備えたＬＥＤ基板３０５が設けられ、そのＬＥＤ３０４からの光により表示板３０２の表示シート３０３を発光させるようになっている。なお、表示板３０２、表示シート３０３により表示部が構成されているが、この表示部は表示板３０２、表示シート３０３以外のもので構成してもよい。
【０１３８】
図３８、図３９は本発明の第２の実施形態を例示し、操作手段２１２を押圧操作式とし、この操作手段２１２を第１位置Ｘ１から第２位置Ｘ２へと押圧操作可能に設けると共に、この操作手段２１２を第１位置Ｘ１と第３位置Ｘ３との間で前後方向（押圧方向）に往復移動させる往復駆動手段２１７と、この操作手段２１２を振動させる振動発生手段２１４とを備えたものである。
【０１３９】
なお、操作手段２１２は、図３８に実線で示すように、右側突出部９６の前下方向きに若干傾斜する前カバー１８３に対して略直角方向の前下向きに設けてもよいし、図３８に二点鎖線で示すように、前カバー１８３の一部に前上向きに若干傾斜する配置部３０８を設け、この配置部３０８に略直角に前上向きに設けてもよい。
【０１４０】
操作手段２１２は前後方向の押圧操作式であって、中空状に構成され且つ右側突出部９６の前カバーユニット１９７から前側に突出する操作部３０９と、前端部が操作部３０９に固定され且つ振動伝達手段２１５へと伸びる芯部材２３８とを備えている。この操作手段２１２は、振動伝達手段２１５に連結されると共に、第１付勢手段２１１により第１位置Ｘ１に付勢されており、第１付勢手段２１１に抗して第１位置Ｘ１から第２位置Ｘ２まで押圧操作可能になっている。
【０１４１】
操作部３０９は覆い部材１９２に一体に形成された挿通部２３５に前後方向に移動可能に挿通されている。第１付勢手段２１１は圧縮バネにより構成され、操作部３０９の受け部３１０と覆い部材１９２の受け部３１１との間に介在されている。
【０１４２】
振動伝達手段２１５は、固定支持部材２１０側の案内手段２１６により操作手段２１２の操作方向に移動可能に支持された第１部材２５３と、この第１部材２５３に上下方向に固定された第２部材２５４及び第３部材２５５とを備え、その第１部材２５３の連結部２５８に芯部材２３８が固定されている。この振動伝達手段２１５の上下両側には、振動伝達手段２１５を介して操作手段２１２を振動させる振動発生手段２１４と、振動伝達手段２１５を介して操作手段２１２を前後方向に往復駆動する往復駆動手段２１７とが設けられいる。
【０１４３】
振動発生手段２１４は、第２部材２５４の上端部にねじ等で固定された振動ケース２６４と、振動ケース２６４内に収容された振動モータ２６５と、振動ケース２６４内に収容され且つ振動モータ２６５の回転軸２６６に偏心状に固定された偏心錘２６７とを備え、振動モータ２６５の回転時に、偏心錘２６７の偏心回転運動により振動するようになっている。
【０１４４】
往復駆動手段２１７は、操作手段２１２を第１位置Ｘ１と第３位置Ｘ３との間で往復駆動するためのもので、固定支持部材２１０に前後方向に移動可能に設けられ且つ第３部材２５５に当接する第１規制部２６０を有する往復移動体２６３と、往復移動体２６３、第３部材２５５を介して操作手段２１２を第３位置Ｘ３側へと付勢する第２付勢手段２６２と、支持軸２６９廻りに正逆転して往復移動体２６３を第２付勢手段２６２に抗して原点位置と第３位置Ｘ３との間で往復操作する偏心ピン２６８（偏心カム）と、偏心ピン２６８を支持軸２６９廻りに正逆駆動する駆動モータ２７０とを備えている。
【０１４５】
往復移動体２６３は固定支持部材２１０に沿って前後方向に移動可能である。第２付勢手段２６２はコイルバネ等の引っ張りバネにより構成され、往復移動体２６３の前部側の掛け部２７９と、固定支持部材２１０の後部側の掛け部２８０との間に掛けられている。
【０１４６】
偏心ピン２６８は往復移動体２６３の被押圧部２８１に後側から当接しており、駆動モータ２７０の正逆回転により、往復移動体２６３が第１位置Ｘ１（原点位置）と第３位置Ｘ３とに対応するように被押圧部２８１を進退方向に押圧操作する。なお、他の構成は第１の実施形態と同様である。
【０１４７】
操作手段２１２は、通常は操作部３０９が前カバーユニット１９７から前方に突出した第１位置Ｘ１に保持されている。このとき往復駆動手段２１７では偏心ピン２６８が往復移動体２６３を原点位置に保持しており、その往復移動体２６３の第１規制部２６０に振動伝達手段２１５の第３部材２５５が後側から当接している。
【０１４８】
遊技者が操作手段２１２の操作部３０９をｅ矢示方向に押圧すると、第１付勢手段２１１に抗して操作部３０９が第１位置Ｘ１から第２位置Ｘ２まで移動するので、操作手段２１２を第２位置Ｘ２へと押し込むことができる。このとき操作手段２１２と一体的に振動伝達手段２１５が案内手段２１６に沿ってｅ矢示方向に移動し、第３部材２５５が第２規制部２６１に当接する第２位置Ｘ２で停止する。操作部３０９の押圧を解除すれば、操作手段２１２は第１付勢手段２１１の付勢により第１位置Ｘ１まで戻る。
【０１４９】
遊技者が操作手段２１２の操作部３０９を押圧した状態のときに振動発生手段２１４が振動を発生すれば、振動伝達手段２１５の第２部材２５４、第１部材２５３を介して操作手段２１２の芯部材２３８へと振動を伝達できるので、遊技者は振動発生手段２１４による振動を確実に感知することができる。
【０１５０】
また往復駆動手段２１７の駆動モータ２７０が正逆転すれば、偏心ピン２６８が往復移動体２６３の被押圧部２８１に対して前後方向に進退して、操作手段２１２を第１位置Ｘ１と第３位置Ｘ３との間で往復駆動することができる。
【０１５１】
図４０〜図４２は本発明の第３の実施形態を例示し、操作手段２１２を枢軸３１５廻りの回動操作式とし、この操作手段２１２を枢軸３１５廻りに第１位置Ｘ１から第２位置Ｘ２へと回動操作可能に設けると共に、この操作手段２１２を枢軸３１５廻りに第１位置Ｘ１と第３位置Ｘ３との間で操作方向（回動方向）に往復駆動する往復駆動手段２１７と、この操作手段２１２を振動させる振動発生手段２１４とを備えたものである。
【０１５２】
操作手段２１２は先端に握り部２３７を有し、右側突出部９６の遊技領域１８側に配置されている。右側突出部９６内にはユニット補強板１１１に固定された固定支持部材２１０が設けられ、この固定支持部材２１０の前端側に設けられた軸保持部３１６に左右方向の枢軸３１５が挿通されている。枢軸３１５には右側突出部９６の内カバー１８２から遊技領域１８側に突出しており、その枢軸３１５の外端側に操作手段２１２の芯部材２３８が固定され、右側突出部９６内の内端側に連動部材３１７が固定されている。
【０１５３】
連動部材３１７は上側に突出する突出部材３１８を有し、その突出部材３１８の上端側に振動発生手段２１４が設けられている。枢軸３１５、連動部材３１７、突出部材３１８は金属製であって、振動発生手段２１４からの振動を操作手段２１２に伝達する振動伝達手段２１５を構成している。振動発生手段２１４は、振動ケース２６４、振動モータ２６５、偏心錘２６７等を備えている。
【０１５４】
往復駆動手段２１７は、連動部材３１７の下側に配置された偏心カム３１９と、ギヤー３２０，３２１を介して偏心カム３１９を駆動する駆動モータ２７０とを備えている。偏心カム３１９は連動部材３１７の先端側に下側から当接可能な小径部３２２と大径部３２３とを有し、連動部材３１７と略平行に配置され回転軸３２４に固定されている。回転軸３２４、駆動モータ２７０は適宜手段を介して固定支持部材２１０に支持されている。なお、この実施形態では、偏心カム３１９の小径部３２２と大径部３２３との径差が操作手段２１２の往復揺動範囲に対応している。
【０１５５】
連動部材３１７と固定支持部材２１０の掛け部３２５との間には、操作手段２１２を第１位置Ｘ１側に付勢する第１付勢手段２１１が設けられている。また固定支持部材２１０には、連動部材３１７を介して操作手段２１２を第２位置Ｘ２に規制する規制部３２６と、操作手段２１２の第２位置Ｘ２への操作を検出する第１検出手段２１８とが設けられている。
【０１５６】
通常は操作手段２１２は第１位置Ｘ１に保持されている。このとき往復駆動手段２１７の偏心カム３１９の小径部３２２側が連動部材３１７に対応しており、第１付勢手段２１１により付勢された連動部材３１７がその偏心カム３１９の小径部３２２側に上側から当接している。従って、遊技者が操作手段２１２を反時計方向に操作すれば、連動部材３１７が第１付勢手段２１１に抗して反時計方向に回動するため、操作手段２１２を第１位置Ｘ１から第２位置Ｘ２へと操作することができる。
【０１５７】
往復駆動手段２１７の駆動モータ２７０が回転すると、偏心カム３１９が一方向に回転してその小径部３２２と大径部３２３とが連動部材３１７の先端側を上下方向に交互に駆動する。そのため連動部材３１７、枢軸３１５を介して操作手段２１２を第１位置Ｘ１と第３位置Ｘ３との間で枢軸３１５廻りに往復動作させることができる。
【０１５８】
振動発生手段２１４が振動を発生すると、振動伝達手段２１５を構成する金属製の突出部材３１８、連動部材３１７、枢軸３１５を介して振動発生手段２１４からの振動を伝達するので、振動発生手段２１４の振動を振動伝達手段２１５を介して操作手段２１２へと確実に伝達することができる。
【０１５９】
以上、本発明の各実施形態について詳述したが、本発明は各実施形態に限定されるものではなく、その趣旨が逸脱しない範囲で種々の変更が可能である。遊技機としてパチンコ機を例示しているが、パチンコ機、アレンジボール機等の弾球遊技機は勿論のこと、スロットマシン等を含む各種の遊技機においても同様に実施可能である。
【０１６０】
また操作手段２１２は、遊技者が操作可能なものであれば十分であり、引っ張り操作式、押圧操作式、回動操作式等の任意の操作方式を採用することが可能である。また操作手段２１２、右側突出部９６の前面又は側面の他、前張り出しユニット４６の先端側等、遊技中の遊技者が操作可能な位置であれば十分である。
【０１６１】
振動伝達手段２１５は、第１部材２５３と第２部材２５４とを含む複数の金属部材を固定的に連結したものであって、案内手段２１６により、操作手段２１２の操作方向に移動又は動作可能なものであればよい。また振動伝達手段２１５は、複数の金属部材の他に、合成樹脂製の中間部材を介在しないものが望ましいが、振動の伝達効率が高い部材であれば、金属部材以外の硬質合成樹脂材等の硬質部材を介在してもよい。
【０１６２】
振動伝達手段２１５の第１部材２５３に操作手段２１２を、第２部材２５４に振動発生手段２１４を夫々設ける場合、その第１部材２５３、第２部材２５４は任意の形状、構造でもよい。また第１部材２５３と第２部材２５４とは板金材等で一体に構成したものでもよい。
【０１６３】
振動伝達手段２１５による振動の伝達効率を上げる場合、振動伝達手段２１５に操作手段２１２と振動発生手段２１４とを固定的に設けることが望ましい。その場合、振動伝達手段２１５に操作手段２１２を固定し、その操作手段２１２に振動発生手段２１４を固定してもよいし、その逆に振動伝達手段２１５に振動発生手段２１４を固定し、その振動発生手段２１４に操作手段２１２を固定してもよい。
【０１６４】
振動発生手段２１４は振動モータ２６５の回転軸２６６に偏心錘２６７を備えたモータ駆動式が簡単であるが、ソレノイド式等でもよい。往復駆動手段２１７は実施形態に例示する構造以外のものでもよい。
【０１６５】
第１検出手段２１８により操作手段２１２の第２位置Ｘ２への操作を検出する場合、第１検出手段２１８の検出対象である第１被検出部材２８６は、操作手段２１２の往復動作範囲内では操作手段２１２に連動しないようにすることが望ましい。しかし、往復動作範囲と第２位置Ｘ２との間に十分な余裕がある場合には、その第１被検出部材２８６は第１位置Ｘ１と第２位置Ｘ２との間で操作手段２１２の操作に連動するようにしてもよい。
【符号の説明】
【０１６６】
９６  右側突出部
１９７  前カバーユニット
２１０  固定支持部材
２１１  第１付勢手段
２１２  操作手段
２１３  内部機構
２１４  振動発生手段
２１５  振動伝達手段
２１６  案内手段
２１７  往復駆動手段
２１８  第１検出手段
２２５  案内金具
２２６  案内部材
２３７  握り部
２５３  第１部材（金属部材）
２５４  第２部材（金属部材）
２５５  第３部材（金属部材）
２６０  第１規制部
２６１  第２規制部
２６２  第２付勢手段
２６３  往復移動体
２６５  振動モータ
２６７  偏心錘
２６８  偏心ピン
２７０  駆動モータ
２８８  検出移動体
２９７  第３付勢手段
Ｘ１  第１位置
Ｘ２  第２位置
Ｘ３  第３位置
【図１】
2019051237.tif 000003
【図２】
2019051237.tif 000004
【図３】
2019051237.tif 000005
【図４】
2019051237.tif 000006
【図５】
2019051237.tif 000007
【図６】
2019051237.tif 000008
【図７】
2019051237.tif 000009
【図８】
2019051237.tif 000010
【図９】
2019051237.tif 000011
【図１０】
2019051237.tif 000012
【図１１】
2019051237.tif 000013
【図１２】
2019051237.tif 000014
【図１３】
2019051237.tif 000015
【図１４】
2019051237.tif 000016
【図１５】
2019051237.tif 000017
【図１６】
2019051237.tif 000018
【図１７】
2019051237.tif 000019
【図１８】
2019051237.tif 000020
【図１９】
2019051237.tif 000021
【図２０】
2019051237.tif 000022
【図２１】
2019051237.tif 000023
【図２２】
2019051237.tif 000024
【図２３】
2019051237.tif 000025
【図２４】
2019051237.tif 000026
【図２５】
2019051237.tif 000027
【図２６】
2019051237.tif 000028
【図２７】
2019051237.tif 000029
【図２８】
2019051237.tif 000030
【図２９】
2019051237.tif 000031
【図３０】
2019051237.tif 000032
【図３１】
2019051237.tif 000033
【図３２】
2019051237.tif 000034
【図３３】
2019051237.tif 000035
【図３４】
2019051237.tif 000036
【図３５】
2019051237.tif 000037
【図３６】
2019051237.tif 000038
【図３７】
2019051237.tif 000039
【図３８】
2019051237.tif 000040
【図３９】
2019051237.tif 000041
【図４０】
2019051237.tif 000042
【図４１】
2019051237.tif 000043
【図４２】
2019051237.tif 000044